(57)【要約】【課題】ベビーカー本体に装着したシートの背当て部の傾斜角変更を容易に行うことができるようにしたベビーカーを得ること。【解決手段】ベビーカー本体１０に装着されたシート２０の背当て部２２の頂端縁部に頭部保護体２３を折り畳み可能に連接し、その頭部保護体２３の先端部に左右方向に延びる保持ベルト２４を装着する。一方、左右の手押し杆１５に摺動体２５をそれぞれ摺動可能に装着し、その摺動体２５に保持ベルト２４の左右を固着した。【選択図】　図３
2004050958.tif 000002
【特許請求の範囲】
【請求項１】
ベビーカー本体に装着されたシートの背当て部の傾斜角度を変更可能としたベビーカーにおいて、上記背当て部の頂端縁部に頭部保護体を折り畳み可能に連接するとともに、その頭部保護体の先端部に左右方向に延びる保持ベルトを装着し、その保持ベルトの左右を、左右の手押し杆にそれぞれ摺動可能に装着された摺動体に固着したことを特徴とするベビーカー。
【請求項２】
上記頭部保護体は、背当て部が倒伏状態の時には上記背当て部の頂端縁部と保持ベルトとの間に張設され、背当て部が起立状態の時には上記背当て部の背面側に折り畳まれ、上記保持ベルトにより背当て部が支持されることを特徴とする、請求項１記載のベビーカー。
【請求項３】
保持ベルトの背面側には、取っ手が設けられていることを特徴とする、請求項１または２記載のベビーカー。
【請求項４】
左右の手押し杆には、摺動体の移動端部において上記摺動体を保持する係止部が設けられていることを特徴とする、請求項１または２記載のベビーカー。
【発明の詳細な説明】
【０００１】
【発明の属する技術分野】
本発明は、ベビーカー本体に装着されたシートの背当て部の傾斜角度を選択的に変更可能としたベビーカーに関する。
【０００２】
【従来の技術及び発明が解決しようとする課題】
一般に、乳幼児を散歩や買い物等のために屋外に連れ出す場合に使用するベビーカーにおいては、必要に応じてシートの背当て部の傾斜角度を変え、乳幼児を寝かせた状態或いは座らせた状態にすることができるようにしたものが提案されている。すなわち、左右の手押し杆の間に上記背当て部を支持する保持ベルトが張設されており、その保持ベルトに設けられた調節器具を操作してその保持ベルトの長さを調節することにより背当て部の傾斜角度を変えることができるようにしたものがある。
【０００３】
ところが、このように背当て部の傾斜角度を変えるようにしたものにおいては、微調節することはできるけれども、その都度保持ベルトの長さを変更する必要があるため、背当て部の角度調整には両手を使う必要がある等、操作が煩雑であり乳幼児を抱いた状態で操作することが困難である等の問題がある。
【０００４】
本発明は、このような点に鑑み、背当て部の傾斜角度の変更を容易に行うことができるようにしたベビーカーを得ることを目的とする。
【０００５】
【課題を解決するための手段】
請求項１に係る発明は、ベビーカー本体に装着されたシートの背当て部の傾斜角度を変更可能としたベビーカーにおいて、上記背当て部の頂端縁部に頭部保護体を折り畳み可能に連接するとともに、その頭部保護体の先端部に左右方向に延びる保持ベルトを装着し、その保持ベルトの左右を、左右の手押し杆にそれぞれ摺動可能に装着された摺動体に固着したことを特徴とする。
【０００６】
請求項２に係る発明は、請求項１に係る発明において、上記頭部保護体は、背当て部が倒伏状態の時には上記背当て部の頂端縁部と保持ベルトとの間に張設され、背当て部が起立状態の時には上記背当て部の背面側に折り畳まれ、上記保持ベルトにより背当て部が支持されることを特徴とする。
【０００７】
請求項３に係る発明は、請求項１または２に係る発明において、保持ベルトの背面側に取っ手が設けられていることを特徴とする。
【０００８】
請求項４に係る発明は、請求項１または２に係る発明において、左右の手押し杆には、摺動体の移動端部において上記摺動体の移動を防止する係止部が設けられていることを特徴とする。
【０００９】
【発明の実施の形態】
図１及び図２は、本発明のリクライニング機構付のベビーカーの概略構成を示す斜視図であって、ベビーカー本体１０は、双輪式の前輪１１を有する左右一対の前脚１２、双輪式の後輪１３を有する左右一対の後脚１４、ほぼ逆Ｕ字状に屈曲された手押し杆１５、左右一対のアームレスト１６によって構成されている。上記左右の後脚１４と手押し杆１５を構成する左右のパイプ１５ａとはＸ字状の連結バー１７により連結されている。また上記左右の後脚１４の上部には、前脚１２よりも前方に突出する水平杆部（図示せず）が一体に形成されており、その左右の水平杆部間にシート支持ベルト（図示せず）が張設され、そのシート支持ベルト上に乳幼児用のシート２０の座板部２１が載置支持されている。すなわち、上記シート２０の座板部２１は、通常心材をクッション材によって被覆することにより構成されており、その座板部２１の先端部が上記図示しない左右の水平杆部の先端部に嵌装装着されるとともに、中央部が前記シート支持ベルトによって支持されている。
【００１０】
上記座板部２１の後方には、座板部２１と同様に心材をクッション材により被覆することにより構成された背当て部２２が座板部２１に対して傾斜角度変更可能に連接されている。すなわち、上記背当て部２２がリクライニング可能に形成されている。ところで、上記背当て部２２の左右両側には側辺２２ａが形成されており、その側辺が前脚１２の上部に係止されている。図１は背当て部２２が上方側に持ち上げられた起立状態を示し、図２は背当て部２２が図１に示す位置から後方に傾倒された倒伏状態を示す。
【００１１】
背当て部２２の頂縁部には、図３に示すように、布製の折り畳み可能な頭部保護体２３が連接されている。上記頭部保護体２３の上部背面側には左右方向に延びる保持ベルト２４が装着されており、その保持ベルト２４の両端が手押し杆１５の左右のパイプ１５ａにそれぞれ摺動可能に設けられた摺動体２５に固着されている。
【００１２】
上記手押し杆１５の左右のパイプ１５ａには、上記摺動体２５の移動端部に、ばねにより突出方向に付勢された係止部２６が突設されている。また、前記摺動体２５には上記係止部２６に係合可能な係合孔２５ａが設けられており、摺動体２５がそれぞれの移動端部に来た場合に係合孔２５ａが上記パイプ１５ａに設けられた係止部２６に係合し、その位置に保持されるようにしてある。一方、上記保持ベルト２４の背面側には取っ手２７が取り付けられている。
【００１３】
また、背当て部２２の左右両側部は、連結具２８ａを有する適宜長さのベルト２８により前記手押し杆１５のパイプ１５ａに連結されている。
【００１４】
図４は、シート２０の背当て部２２がほぼ起立状態にされているときの背面側から見た斜視図であり、保持ベルト２４とともに摺動体２５が下方移動端部の位置に保持されている。しかして、この場合には頭部保護体２３は背当て部２２の背面側に折り畳まれ、上記保持ベルト２４により背当て部２２の背面に当接されるとともに、その保持ベルト２４により背当て部２２が上記起立状態に支持されている。図５に上記背当て部２２の起立状態を示す。
【００１５】
そこで、背当て部２２を倒伏状態にする場合には、取っ手２７を持って保持ベルト２４とともに左右の摺動体２５を上方に持ち上げ、上記摺動体２５の係合孔２５ａを係止部２６から離脱させ、さらにその摺動体２５をパイプ１５ａに沿って上方に移動させると、背当て部２２は後方に傾動し、頭部保護体２３が図３に示すように展開し、その頭部保護体２３により背当て部２２の頂端部が支持され、倒伏状態とされる。図６に上記背当て部２２の倒伏状態を示す。
【００１６】
一方、その状態から起立状態にする場合には、背当て部２２を前方に押し上げた状態で取っ手２７を介して保持ベルト２４とともに左右の摺動体２５を下方位置に移動させることによって、背当て部２２を図４及び図５に示す起立状態にし、背当て部２２を保持ベルト２４により支持するようにすることができる。
【００１７】
また、上記保持ベルト２４に長さ調節器具を取り付けることにより、図５と図６に示す状態の中間で微調整を行うようにすることもできる。
【００１８】
【発明の効果】
以上説明したように、本発明は、ベビーカー本体に装着したシートの背当て部の先端縁部に折り畳み可能に頭部保護体を連接するとともに、その頭部保護体の先端部を左右方向に延びる保持ベルトに装着し、その保持ベルトの左右を、手押し杆の左右のパイプにそれぞれ摺動可能に装着された摺動体に固着したので、上記保持ベルトを摺動体とともに上下に移動させるだけで背当て部の傾斜角度を選択的に変更することができ、その変更を極めて容易に行うことができる。
【図面の簡単な説明】
【図１】本発明のベビーカーの概略構成を示す図であり、背当て部が起立状態の場合を示す図。
【図２】本発明のベビーカーの概略構成を示す図であり、背当て部が倒伏状態の場合を示す図。
【図３】シート部を背面側から見た拡大斜視図であり、背当て部が倒伏状態の場合を示す図。
【図４】シート部を背面側から見た拡大斜視図であり、背当て部が起立状態の場合を示す図。
【図５】背当て部が起立状態時の概略形状を示す側断面図。
【図６】背当て部が倒伏状態時の概略形状を示す側断面図。
【符号の説明】
１０　ベビーカー本体
１１　前輪
１２　前脚
１３　後輪
１４　後脚
１５　手押し杆
１６　アームレスト
２０　シート
２１　座板部
２２　背当て部
２３　頭部保護体
２４　保持ベルト
２５　摺動体
２５ａ　係合孔
２６　係止部
２７　取っ手
【図１】
2004050958.tif 000003
【図２】
2004050958.tif 000004
【図３】
2004050958.tif 000005
【図４】
2004050958.tif 000006
【図５】
2004050958.tif 000007
【図６】
2004050958.tif 000008